Podtech/llm-jp-corpus-v4-ja_patent huggingface dataset:
【手続補正書】
【提出日】平成25年8月15日(2013.8.15)
【手続補正１】
【補正対象書類名】特許請求の範囲
【補正対象項目名】全文
【補正方法】変更
【補正の内容】
【特許請求の範囲】
【請求項１】
水に、以下(a)に記載の条件を満たすように以下(b)に記載の有機物の添加を行い、曝気を行いながら培養することによって、以下(c)に記載の微生物生態系を構築する工程を行うことを特徴とする、植物栽培用養液の製造方法。
(a) 一度の添加量が1Lに対して0.05〜1gの以下(b)に記載の有機物を、1〜7日に1回添加する条件。
(b) コーンスティープリカー, 堆肥, 緑肥, ぼかし肥, 落葉, 魚粉, 油粕, オカラ, 生ゴミ, 米糠, 家畜糞尿, 及びイナワラから選ばれる1以上のもの。
(c) 1Lに対して66.67mgのコーンスティープリカーを一度に添加した際に、中間分解産物であるアンモニアの発生を抑えて硝酸態窒素にまで1日で分解して硝酸を生成することが可能である、硝化菌を含む微生物生態系。
【請求項２】
前記水が、微生物が生息する自然水である、請求項1に記載の植物栽培用養液の製造方法。
【請求項３】
前記水が、地下水である、請求項1又は2に記載の植物栽培用養液の製造方法。
【請求項４】
請求項1〜3のいずれかに記載の方法によって製造された植物栽培用養液を用いることを特徴とする、液体肥料の製造方法。
【請求項５】
植物の養液栽培法であって、；請求項1〜3のいずれかに記載の方法にて製造され, 且つ, 前記(c)に記載の微生物生態系を含有する植物栽培用養液に、有機物を直接添加し、曝気を行いながら植物を栽培することを特徴とする、；植物の養液栽培法。
【手続補正２】
【補正対象書類名】明細書
【補正対象項目名】０００９
【補正方法】変更
【補正の内容】
【０００９】
すなわち、請求項１に係る本発明は、水に、以下(a)に記載の条件を満たすように以下(b)に記載の有機物の添加を行い、曝気を行いながら培養することによって、以下(c)に記載の微生物生態系を構築する工程を行うことを特徴とする、植物栽培用養液の製造方法である。
(a) 一度の添加量が1Lに対して0.05〜1gの以下(b)に記載の有機物を、1〜7日に1回添加する条件。
(b) コーンスティープリカー, 堆肥, 緑肥, ぼかし肥, 落葉, 魚粉, 油粕, オカラ, 生ゴミ, 米糠, 家畜糞尿, 及びイナワラから選ばれる1以上のもの。
(c) 1Lに対して66.67mgのコーンスティープリカーを一度に添加した際に、中間分解産物であるアンモニアの発生を抑えて硝酸態窒素にまで1日で分解して硝酸を生成することが可能である、硝化菌を含む微生物生態系。
請求項２に係る本発明は、前記水が、微生物が生息する自然水である、請求項1に記載の植物栽培用養液の製造方法である。
請求項３に係る本発明は、前記水が、地下水である、請求項1又は2に記載の植物栽培用養液の製造方法である。
請求項４に係る本発明は、請求項1〜3のいずれかに記載の方法によって製造された植物栽培用養液を用いることを特徴とする、液体肥料の製造方法である。
請求項５に係る本発明は、植物の養液栽培法であって、；請求項1〜3のいずれかに記載の方法にて製造され, 且つ, 前記(c)に記載の微生物生態系を含有する植物栽培用養液に、有機物を直接添加し、曝気を行いながら植物を栽培することを特徴とする、；植物の養液栽培法である。
【手続補正書】
【提出日】平成25年5月10日(2013.5.10)
【手続補正１】
【補正対象書類名】特許請求の範囲
【補正対象項目名】全文
【補正方法】変更
【補正の内容】
【特許請求の範囲】
【請求項１】
成熟ヒトmiR-21の配列と少なくとも90％相補的である配列を有する、長さが17〜25ヌクレオチドの一本鎖合成miRNA阻害剤の有効量を癌細胞に投与する段階を含む、癌細胞の細胞増殖を阻害するための方法であって、該癌細胞が、乳癌細胞、結腸癌細胞、甲状腺癌細胞、または肺癌細胞である、前記方法。
【請求項２】
前記合成miRNA阻害剤の長さが22ヌクレオチドまたは23ヌクレオチドである、請求項1記載の方法。
【請求項３】
前記miRNA阻害剤が1つまたは複数の糖修飾をさらに含む、請求項1記載の方法。
【請求項４】
前記糖修飾が2'OMeである、請求項3記載の方法。
【請求項５】
前記miRNA阻害剤がRNAを含む、請求項1記載の方法。
【請求項６】
成熟ヒトmiR-21の配列と少なくとも90％相補的である配列を有する、長さが17〜25ヌクレオチドの一本鎖合成miRNA阻害剤を含む組成物の有効量をヒト被験体に投与する段階を含む、ヒト被験体における癌を治療するための方法であって、該癌細胞が、乳癌細胞、結腸癌細胞、甲状腺癌細胞、または肺癌細胞である、前記方法。
【請求項７】
前記miRNA阻害剤の長さが22ヌクレオチドまたは23ヌクレオチドである、請求項6記載の方法。
【請求項８】
前記miRNA阻害剤が1つまたは複数の糖修飾をさらに含む、請求項6記載の方法。
【請求項９】
前記糖修飾が2'OMeである、請求項8記載の方法。
【請求項１０】
前記miRNA阻害剤がRNAを含む、請求項6記載の方法。
【請求項１１】
成熟ヒトmiR-21の配列と少なくとも90％相補的である配列を有する、長さが17〜25ヌクレオチドのmiRNA阻害剤を癌細胞に投与する段階を含む、癌細胞の細胞増殖を阻害するための方法であって、該阻害剤が、少なくとも糖修飾または末端修飾を含む一本鎖オリゴヌクレオチドであり、該癌細胞が、乳癌細胞、結腸癌細胞、甲状腺癌細胞、または肺癌細胞である、前記方法。
【請求項１２】
前記オリゴヌクレオチドがリボオリゴヌクレオチドである、請求項11記載の方法。
【請求項１３】
前記修飾が2'OMeである、請求項11記載の方法。
【請求項１４】
成熟ヒトmiR-21の配列と少なくとも90％相補的である配列を有する、長さが17〜25ヌクレオチドのmiRNA阻害剤を含む組成物をヒト被験体に投与する段階を含む、ヒト被験体における癌を治療するための方法であって、該阻害剤が、少なくとも糖修飾または末端修飾を含む一本鎖オリゴヌクレオチドであり、該癌細胞が、乳癌細胞、結腸癌細胞、甲状腺癌細胞、または肺癌細胞である、前記方法。
【請求項１５】
前記修飾が2'OMeである、請求項14記載の方法。
【請求項１６】
前記オリゴヌクレオチドがリボオリゴヌクレオチドである、請求項14記載の方法。
【手続補正書】
【提出日】平成25年2月4日(2013.2.4)
【手続補正１】
【補正対象書類名】特許請求の範囲
【補正対象項目名】全文
【補正方法】変更
【補正の内容】
【特許請求の範囲】
【請求項１】
一般構造：
NH2-VL-リンカー-VH-COOH；または
NH2-VH-リンカー-VL-COOH
を有する単一鎖フレームワークであって、
VHが、配列番号１０：
VQLVQSGAEVKKPGASVKVSCTASGYSFTGYFLHWVRQAPGQGLEWMGRINPDSGDTIYAQKFQDRVTLTRDTSIGTVYMELTSLTSDDTAVYYCARVPRGTYLDPWDYFDYWGQGTLVTVSS
である、単一鎖フレームワーク。
【請求項２】
前記VLフレームワークが、κ1、λ1またはλ3タイプである、請求項１に記載の単一鎖フレームワーク。
【請求項３】
請求項２に記載の単一鎖フレームワークであって、前記VLが、下記アミノ酸配列A、B、C、D、E、F、GおよびIから成る群より選択される、単一鎖フレームワーク：
Aはアミノ酸配列（配列番号１）
EIVMTQSPSTLSASVGDRVIITCRASQSISSWLAWYQQKPGKAPKLLIYKASSLESGVPSRFSGSGSGAEFTLTISSLQPDDFATYYCQQYKSYWTFGQGTKLTVLGであり；
Bはアミノ酸配列（配列番号２）
EIVLTQSPSSLSASVGDRVTLTCRASQGIRNELAWYQQRPGKAPKRLIYAGSILQSGVPSRFSGSGSGTEFTLTISSLQPEDVAVYYCQQYYSLPYMFGQGTKVDIKRであり；
Cはアミノ酸配列（配列番号３）
EIVMTQSPATLSVSPGESAALSCRASQGVSTNVAWYQQKPGQAPRLLIYGATTRASGVPARFSGSGSGTEFTLTINSLQSEDFAAYYCQQYKHWPPWTFGQGTKVEIKRであり；
Dはアミノ酸配列（配列番号４）
QSVLTQPPSVSAAPGQKVTISCSGSTSNIGDNYVSWYQQLPGTAPQLLIYDNTKRPSGIPDRFSGSKSGTSATLGITGLQTGDEADYYCGTWDSSLSGWFGGGTKLTVLGであり；
Eはアミノ酸配列（配列番号５）
EIVLTQSPATLSLSPGERATLSCRASQTLTHYLAWYQQKPGQAPRLLIYDTSKRATGVPARFSGSGSGTDFTLTISSLEPEDSALYYCQQRNSWPHTFGGGTKLEIKRであり；
Fはアミノ酸配列（配列番号６）
SYVLTQPPSVSVAPGQTATVTCGGNNIGSKSVHWYQQKPGQAPVLVVYDDSDRPSGIPERFSGSNSGNTATLTIRRVEAGDEADYYCQVWDSSSDHNVFGSGTKVEIKRであり；
Gはアミノ酸配列（配列番号７）
LPVLTQPPSVSVAPGQTARISCGGNNIETISVHWYQQKPGQAPVLWSDDSVRPSGIPERFSGSNSGNTATLTISRVEAGDEADYYCQVWDSSSDYVVFGGGTKLTVLGであり；そして
Iはアミノ酸配列（配列番号９）
EIVLTQSPSSLSASLGDRVTITCRASQSISSYLNWYQQKPGKAPKLLIYAASSSQSGVPSRFRGSESGTDFTLTISNLQPEDFATYYCQQSYRTPFTFGPGTKVEIKRである。
【請求項４】
請求項３に記載の単一鎖フレームワークであって、前記VLが、前記アミノ酸配列B、C、D、EおよびGから成る群より選択される単一鎖フレームワーク。
【請求項５】
請求項３または４に記載の単一鎖フレームワークの変異体から成る群より選択される単一鎖フレームワーク。
【請求項６】
請求項３または４に記載の単一鎖フレームワークの誘導体から成る群より選択される単一鎖フレームワーク。
【請求項７】
第二のタンパク質部分に融合し、一般構造：
NH2-VL-リンカー-VH-第二のタンパク質-COOH；または
NH2-第二のタンパク質-VL-リンカー-VH-COOH
の融合構築物を産生する、請求項１〜６のいずれか１項に記載の単一鎖フレームワーク。
【請求項８】
前記VHおよびVL領域の方向性（orientation）が逆である、請求項７に記載の単一鎖フレームワーク。
【請求項９】
前記第二のタンパク質が、細胞内アッセイの読出し部（read-out）を提供する、請求項７または８に記載の単一鎖フレームワーク。
【請求項１０】
保存されたフレームワーク残基クラスの同定における、請求項１に記載の少なくとも2つのフレームワーク配列の使用。
【請求項１１】
前記保存されたフレームワーク残基クラスが、
極性を有するが非電荷のR基；
正電荷のR基；
負電荷のR基；
疎水性R基；および
特別なアミノ酸
から成る群より選択される、請求項１０に記載の使用。
【請求項１２】
少なくとも一の保存されたフレームワーク配列の同定における、請求項１に記載の少なくとも2つのフレームワーク配列の使用。
【請求項１３】
前記保存されたフレームワーク配列が2〜5残基である、請求項１２に記載の使用。
【請求項１４】
前記保存されたフレームワーク配列が5〜10残基である、請求項１２に記載の使用。
【請求項１５】
前記保存されたフレームワーク配列が10〜25残基である、請求項１２に記載の使用。
【請求項１６】
前記保存されたフレームワーク配列がギャップを有する、請求項１２〜１５のいずれか１項に記載の使用。
【請求項１７】
請求項１〜９のいずれか１項に記載の単一鎖フレームワークに由来するVLおよびVHの両方を含む抗体。
【請求項１８】
請求項１〜９のいずれか１項に記載の単一鎖フレームワークに由来するVLまたはVHまたはその両方を含む、単一の可変ドメイン。
【請求項１９】
請求項１〜９のいずれか１項に記載の単一鎖フレームワークに由来するVLおよびVHを含む、Ｆｖ、Ｆａｂまたは（Ｆａｂ’）2。
【請求項２０】
ターゲットの検証またはライブラリー構築における、請求項１〜９または１７〜１９のいずれか１項に記載の単一鎖フレームワーク、抗体、単一の可変ドメイン、またはＦｖ、Ｆａｂもしくは（Ｆａｂ’）2の使用。
【請求項２１】
請求項１〜９のいずれか１項に記載の単一鎖フレームワークをコードすることができる核酸。
【請求項２２】
請求項２１に記載の核酸を含むベクター。
【請求項２３】
請求項２１に記載の核酸を含む宿主細胞。
【手続補正書】
【提出日】平成25年1月9日(2013.1.9)
【手続補正１】
【補正対象書類名】特許請求の範囲
【補正対象項目名】全文
【補正方法】変更
【補正の内容】
【特許請求の範囲】
【請求項１】
車両に対する荷物の積み下ろしに用いられる荷受台昇降装置であって、
荷物が載置される荷受台の上面には、前記車両の荷台側となる基端から前記荷受台の先端への荷物引き出し方向に複数の凸部が設けられており、
当該凸部は、前記基端側に向いた基端側壁部と前記先端側に向いた先端側壁部とを備えており、
前記複数の凸部のうち、前記基端側の凸部における基端側壁部は、前記荷受台の上面に対して、他の凸部の基端側壁部より緩傾斜した部分を有する
ことを特徴とする荷受台昇降装置。
【請求項２】
前記緩傾斜した部分は、前記基端側壁部のうち、少なくとも上方部に設けられている
ことを特徴とする請求項１に記載の荷受台昇降装置。
【請求項３】
前記緩傾斜した部分を有する基端側壁部は、前記基端側の凸部のうち、前記基端側に最も近い凸部に設けられている
ことを特徴とする請求項１または２に記載の荷受台昇降装置。
【手続補正書】
【提出日】平成25年8月7日(2013.8.7)
【手続補正１】
【補正対象書類名】特許請求の範囲
【補正対象項目名】全文
【補正方法】変更
【補正の内容】
【特許請求の範囲】
【請求項１】
各タイヤの空気圧を監視するタイヤ空気圧モニター装置であって、
各車輪のタイヤに装着され、タイヤの空気圧を検出するタイヤ空気圧検出手段と、
各車輪のタイヤに装着され、タイヤに作用する所定方向の加速度を検出する加速度センサと、
各車輪に設けられ、前記加速度センサの検出値に基づいて車輪の回転位置を検出し、所定の回転位置のとき前記空気圧を各送信機固有の識別情報と共に無線信号にて送信する送信機と、
車体側に設けられ、前記無線信号を受信する受信機と、
車体側に設けられ、ある識別情報を含む無線信号が送信されたときの各車輪の回転位置を検出する回転位置検出手段と、
前記各車輪の回転位置を複数回取得して各車輪の回転位置データとして蓄積し、各回転位置データのうち最もばらつき度合いが小さな回転位置データに対応する車輪位置を当該識別情報に対応する送信機の車輪位置と判定する車輪位置判定手段と、
車輪のホイルシリンダ圧を制御する制動制御が実施されている場合、前記車輪位置判定手段による各車輪の回転位置データの蓄積を禁止する検出禁止手段と、
を備えたことを特徴とするタイヤ空気圧モニター装置。
【請求項２】
各タイヤの空気圧を監視するタイヤ空気圧モニター装置であって、
各車輪のタイヤに装着され、タイヤの空気圧を検出するタイヤ空気圧検出手段と、
各車輪のタイヤに装着され、タイヤに作用する所定方向の加速度を検出する加速度センサと、
各車輪に設けられ、前記加速度センサの検出値に基づいて車輪の回転位置を検出し、所定の回転位置のとき前記空気圧を各送信機固有の識別情報と共に無線信号にて送信する送信機と、
車体側に設けられ、前記無線信号を受信する受信機と、
車体側に設けられ、ある識別情報を含む無線信号が送信されたときの各車輪の回転位置を検出する回転位置検出手段と、
前記各車輪の回転位置を複数回取得して各車輪の回転位置データとして蓄積し、各回転位置データのうち最もばらつき度合いが小さな回転位置データに対応する車輪位置を当該識別情報に対応する送信機の車輪位置と判定する車輪位置判定手段と、
車輪のホイルシリンダ圧を制御する制動制御が実施されている場合、前記回転位置検出手段による各車輪の回転位置の検出する禁止する検出禁止手段と、
を備え、
前記車輪位置判定手段は、前記車輪の回転位置を、２次元平面上で原点を始点、単位円の円周上の点を終点とするベクトルに変換し、各回転位置データのベクトルの平均ベクトルのスカラー量を分散特性値として算出し、各分散特性値の最高値を最もばらつき度合いが小さいと判定することを特徴とするタイヤ空気圧モニター装置。
【請求項３】
請求項２に記載のタイヤ空気圧モニター装置において、
前記制動制御は、ある車輪がロック傾向にある場合、当該車輪のホイルシリンダ圧を増減または保持してロック傾向を抑制するアンチスキッドブレーキ制御であることを特徴とするタイヤ空気圧モニター装置。
【請求項４】
請求項２に記載のタイヤ空気圧モニター装置において、
前記制動制御は、車両のオーバーステア傾向またはアンダーステア傾向を抑制するように車輪に制動力を与えて車両の走行安定性を確保する車両挙動安定化制御であることを特徴とするタイヤ空気圧モニター装置。
【請求項５】
請求項２に記載のタイヤ空気圧モニター装置において、
前記制動制御は、駆動輪が空転したとき、駆動輪の空転を抑制し、タイヤグリップ力を向上させるブレーキトラクション制御であることを特徴とするタイヤ空気圧モニター装置。
【請求項６】
請求項２に記載のタイヤ空気圧モニター装置において、
前記制動制御は、ブレーキを用いて差動を制限するブレーキ差動制限制御であることを特徴とするタイヤ空気圧モニター装置。
【手続補正書】
【提出日】平成25年9月25日(2013.9.25)
【手続補正１】
【補正対象書類名】特許請求の範囲
【補正対象項目名】全文
【補正方法】変更
【補正の内容】
【特許請求の範囲】
【請求項１】
機能の異なる複数のパネル体を前後方向に重複配置して組み立てるようにした遊技機において、
前記複数のパネル体から選択された一のパネル体をレール部材によって略円形形状に区画された遊技領域をその前面に有する遊技盤とし、
前記遊技盤を載置する載置部と前記遊技領域を露出させる開口部と前面側に遊技球発射機構を備えた遊技機本体と、機構盤とをそれぞれ前記遊技盤の前方及び後方に配置される前記パネル体として隣接配置させ、
前記遊技盤を前記載置部上に載置した状態で固定手段によって前記遊技機本体に対して密着固定させるとともに、前記機構盤の前面位置に複数の突起体を水平方向に散点的かつ選択的に配置し、
前記遊技盤を間に介在させた状態で前記遊技機本体に対して前記機構盤を閉塞状態に配置した際に前記突起体の先端が前記載置部上に載置された前記遊技盤の裏面にちょうど当接するようにしたことを特徴とする遊技機。
【手続補正２】
【補正対象書類名】明細書
【補正対象項目名】０００６
【補正方法】変更
【補正の内容】
【０００６】
上記の目的を達成するために請求項１の発明では、機能の異なる複数のパネル体を前後方向に重複配置して組み立てるようにした遊技機において、前記複数のパネル体から選択された一のパネル体をレール部材によって略円形形状に区画された遊技領域をその前面に有する遊技盤とし、前記遊技盤を載置する載置部と前記遊技領域を露出させる開口部と前面側に遊技球発射機構を備えた遊技機本体と、機構盤とをそれぞれ前記遊技盤の前方及び後方に配置される前記パネル体として隣接配置させ、前記遊技盤を前記載置部上に載置した状態で固定手段によって前記遊技機本体に対して密着固定させるとともに、前記機構盤の前面位置に複数の突起体を水平方向に散点的かつ選択的に配置し、前記遊技盤を間に介在させた状態で前記遊技機本体に対して前記機構盤を閉塞状態に配置した際に前記突起体の先端が前記載置部上に載置された前記遊技盤の裏面にちょうど当接するようにしたことをその要旨とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
上記請求項１に記載された発明では機構盤と遊技機本体とを閉塞することで遊技盤の固定をし忘れても突起体の先端が遊技盤の裏面に当接することとなるため、もし遊技盤が密着しておらず隙間がある場合には突起体の先端で遊技盤は押圧されることとなり遊技盤が固定されていないことに基づく不具合が生じにくくなる。
【手続補正書】
【提出日】平成25年7月30日(2013.7.30)
【手続補正１】
【補正対象書類名】特許請求の範囲
【補正対象項目名】全文
【補正方法】変更
【補正の内容】
【特許請求の範囲】
【請求項１】
ＡＳＳＲ誘発電位信号デ−タを記録するＡＳＳＲ誘発電位信号デ−タ記録部と、
前記ＡＳＳＲ誘発電位信号デ−タ記録部が記録した前記ＡＳＳＲ誘発電位信号デ−タに対してカルマンフィルタによる波形推定処理を行う波形推定処理部と、
前記波形推定処理部が推定した波形信号デ−タに対して聴力判定処理を行う聴力判定処理部と、
前記聴力判定処理部が処理した結果を表示装置に表示させるための表示制御部と、を有する誘発電位検査装置。
【請求項２】
前記波形推定処理部が行うカルマンフィルタによる波形推定処理は下記式で表されることを特徴とする請求項１記載の誘発電位検査装置。
【数１】
2012228525.tif 000001
【請求項３】
被験者に装着する複数の電極と、
被験者に音圧刺激を与えるためのイヤホンと、
表示装置と、
ＡＳＳＲ誘発電位信号デ−タを記録するＡＳＳＲ誘発電位信号デ−タ記録部、前記ＡＳＳＲ誘発電位信号デ−タ記録部が記録した前記ＡＳＳＲ誘発電位信号デ−タに対してカルマンフィルタによる波形推定処理を行う波形推定処理部、前記波形推定処理部が推定した波形信号デ−タに対して聴力判定処理を行う聴力判定処理部、及び、前記聴力判定処理部が処理した結果を前記表示装置に表示させるための表示制御部、を有する誘発電位検査装置と、を有する誘発電位検査システム。
【請求項４】
前記誘発電位検査装置における前記波形推定処理部が行うカルマンフィルタによる波形推定処理は下記式で表されることを特徴とする請求項３記載の誘発電位検査システム。
【数２】
2012228525.tif 000002
【請求項５】
前記波形推定処理部は、カルマンフィルタによる波形推定処理の前に、前記ＡＳＳＲ誘発電位信号デ−タ記録部が記録した前記ＡＳＳＲ誘発電位信号デ−タに対し、Ｗａｖｅｌｅｔ変換を施すことを特徴とする請求項１記載の誘発電位検査装置。
【請求項６】
前記波形推定処理部は、カルマンフィルタによる波形推定処理の前に、前記ＡＳＳＲ誘発電位信号デ−タ記録部が記録した前記ＡＳＳＲ誘発電位信号デ−タに対し、Ｗａｖｅｌｅｔ変換を施すことを特徴とする請求項３記載の誘発電位検査システム。
【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
演出動作を少なくとも実行可能な演出手段と、
前記演出手段を少なくとも駆動可能な駆動手段と、
複数のタスクを実行することにより前記駆動手段を少なくとも制御可能な制御手段と、
前記演出手段の駆動に必要な第一の駆動情報が少なくとも記憶されている情報記憶手段と、
を備えた遊技台であって、
前記制御手段は、複数の処理の繰り返し実行により、前記複数のタスクを並列的に少なくとも実行可能なものであり、
前記複数の処理は、実行状態にあるタスクを中断状態に設定する処理を少なくとも含むものであり、
前記複数の処理は、中断状態にあるタスクを実行状態に設定する処理を少なくとも含むものであり、
前記複数の処理は、実行状態にあるタスクに含まれる処理を少なくとも含むものであり、
前記制御手段は、駆動情報生成処理を少なくとも実行可能なものであり、
前記制御手段は、駆動情報送信処理を少なくとも実行可能なものであり、
前記駆動情報生成処理は、前記情報記憶手段に記憶された前記第一の駆動情報に基づいて前記演出手段の駆動に必要な第二の駆動情報を少なくとも生成可能な処理であり、
前記駆動情報送信処理は、前記駆動情報生成処理により生成された前記第二の駆動情報を前記駆動手段に少なくとも送信可能な処理であり、
前記複数のタスクのうちの駆動情報生成タスクは、前記駆動情報生成処理および前記駆動情報送信処理のうちの両方の処理を少なくとも含むものである、
ことを特徴とする遊技台。
【手続補正２】
【補正対象書類名】明細書
【補正対象項目名】０００９
【補正方法】変更
【補正の内容】
【０００９】
上記目的を解決する本発明の遊技台は、演出動作を少なくとも実行可能な演出手段と、前記演出手段を少なくとも駆動可能な駆動手段と、複数のタスクを実行することにより前記駆動手段を少なくとも制御可能な制御手段と、前記演出手段の駆動に必要な第一の駆動情報が少なくとも記憶されている情報記憶手段と、を備えた遊技台であって、前記制御手段は、複数の処理の繰り返し実行により、前記複数のタスクを並列的に少なくとも実行可能なものであり、前記複数の処理は、実行状態にあるタスクを中断状態に設定する処理を少なくとも含むものであり、前記複数の処理は、中断状態にあるタスクを実行状態に設定する処理を少なくとも含むものであり、前記複数の処理は、実行状態にあるタスクに含まれる処理を少なくとも含むものであり、前記制御手段は、駆動情報生成処理を少なくとも実行可能なものであり、前記制御手段は、駆動情報送信処理を少なくとも実行可能なものであり、前記駆動情報生成処理は、前記情報記憶手段に記憶された前記第一の駆動情報に基づいて前記演出手段の駆動に必要な第二の駆動情報を少なくとも生成可能な処理であり、前記駆動情報送信処理は、前記駆動情報生成処理により生成された前記第二の駆動情報を前記駆動手段に少なくとも送信可能な処理であり、前記複数のタスクのうちの駆動情報生成タスクは、前記駆動情報生成処理および前記駆動情報送信処理のうちの両方の処理を少なくとも含むものである、ことを特徴とする。
【手続補正書】
【提出日】平成25年3月19日(2013.3.19)
【手続補正１】
【補正対象書類名】特許請求の範囲
【補正対象項目名】全文
【補正方法】変更
【補正の内容】
【特許請求の範囲】
【請求項１】
１ゲームに対して所定数の賭数を設定することによりゲームが開始可能となるとともに、各々が識別可能な複数種類の識別情報を変動表示可能な可変表示装置の表示結果が導出されることにより１ゲームが終了し、該可変表示装置の表示結果に応じて入賞が発生可能とされたスロットマシンであって、
遊技の制御を行う遊技制御手段と、
前記遊技制御手段から送信された制御情報に基づいて演出の制御を行う演出制御手段と、
所定の変動開始条件が成立したときに、前記可変表示装置における識別情報の変動表示を開始させる変動開始制御手段と、
前記所定の変動開始条件の成立以降に成立可能な計時開始条件が成立してから経過した時間を計測する計時手段と、
前記可変表示装置の表示結果が導出される前に入賞の発生を許容するか否かを決定する事前決定手段と、
遊技者の操作により前記可変表示装置の表示結果を導出させることを指示する導出操作手段と、
前記導出操作手段が操作されたことにより導出条件が成立したときに、該導出条件が成立したときから予め定められた最大遅延時間の範囲内で前記可変表示装置に前記事前決定手段の決定結果に応じた表示結果を導出させる制御を行う操作導出制御手段と、
少なくとも前記事前決定手段によりいずれかの種類の入賞の発生を許容する旨が決定されているゲームにおいて、前記所定の変動開始条件が成立してから経過した時間に関わらず、前記導出操作手段が操作されるまで、前記可変表示装置における識別情報の変動を継続させる変動継続手段と、
前記導出操作手段が操作されず、前記変動継続手段による前記変動が継続している際に、前記計時手段が所定の時間を計時したときに、その旨を報知する非操作報知手段と、
を備え、
前記非操作報知手段は、前記導出操作手段が操作されず、前記変動継続手段による前記変動が継続している際に、前記計時手段が前記所定の時間を計時するまでは報知を行わず、前記計時手段が前記所定の時間を計時したときに、その旨の報知を開始する
ことを特徴とするスロットマシン。
【手続補正書】
【提出日】平成25年1月23日(2013.1.23)
【手続補正１】
【補正対象書類名】特許請求の範囲
【補正対象項目名】全文
【補正方法】変更
【補正の内容】
【特許請求の範囲】
【請求項１】
測定光を照射した被検査物からの戻り光と、該測定光に対応する参照光とを合波した光に基づいて前記被検査物の断層画像を取得する光断層画像撮像装置であって、
前記被検査物に対して前記測定光を走査する走査手段と、
前記測定光の光束径を変更する光束径変更手段と、
前記光束径変更手段により前記測定光の光束径を大きくした場合、前記走査手段の走査速度を遅くする制御手段と、
を有することを特徴とする光断層画像撮像装置。
【請求項２】
前記測定光が前記被検査物に集光する位置を、前記被検査物の深さ方向に変更する集光位置変更手段を有し、
前記集光位置変更手段によって、前記光束径に基づく焦点深度よりも短い距離、前記深さ方向に焦点位置を移動させることを特徴とする請求項１に記載の光断層画像撮像装置。
【請求項３】
前記集光位置変更手段により前記集光する位置を変更させて前記被検査物における異なる深さ位置で、異なる複数の該被検査物の断層画像を取得し、これらをつなぎ合わせて断層画像を生成することを特徴とする請求項２に記載の光断層画像撮像装置。
【請求項４】
前記集光する位置の変更に連動させて、前記参照光の光路に設けられた参照ミラーの位置を変更する参照ミラー位置変更手段を有することを特徴とする請求項２または請求項３に記載の光断層画像撮像装置。
【請求項５】
前記合波した光を分光する分光手段と、
前記光束径変更手段により変更された光束径に応じて、前記断層画像を取得する範囲を変更する範囲変更手段と、
前記範囲変更手段からの光を検出する検出手段と、
を有することを特徴とする請求項１乃至４のいずれか１項に記載の光断層画像撮像装置。
【請求項６】
前記範囲変更手段が、前記検出手段における前記断層画像の取得に用いる画素数と前記測定光の波長バンド幅との比を変更することを特徴とする請求項５に記載の光断層画像撮像装置。
【請求項７】
前記光束径変更手段が前記測定光の光束径を大きくした場合、前記検出手段における読み出し画素数を減らして前記被検査物を撮像することを特徴とする請求項１乃至６のいずれか１項に記載の光断層画像撮像装置。
【請求項８】
前記検出手段を複数備え、
これらの複数の検出手段は、前記検出手段の画素数と前記測定光の波長バンド幅との比が、それぞれ異なる構成を有し、
前記光束径変更手段により変更された光束径に基づいて、前記複数の検出手段のいずれかを選択することが可能に構成されていることを特徴とする請求項１乃至６のいずれか１項に記載の光断層画像撮像装置。
【請求項９】
前記検出手段が結像手段を含み構成され、
前記結像手段は、ズームレンズによって構成され、
前記光束径変更手段により変更された光束径に基づいて、前記検出手段の一画素当たりの波長幅を前記ズームレンズによって変更して該検出手段に結像させ、
前記結像させた範囲の画素のデータにより、前記断層画像を形成することを特徴とする請求項１乃至６のいずれか１項に記載の光断層画像撮像装置。
【請求項１０】
前記結像手段により前記検出手段における領域分割された少なくとも一つの領域に結像させた範囲の画素のデータが、前記領域分割された他の領域から独立して読み出し可能に構成されていることを特徴とする請求項９に記載の光断層画像撮像装置。
【請求項１１】
測定光を照射した被検査物からの戻り光と、該測定光に対応する参照光とを合波した光に基づいて前記被検査物の断層画像を取得する光断層画像撮像装置の制御方法であって、
前記被検査物に対して前記測定光を走査する走査工程と、
前記測定光の光束径を変更する光束径変更工程と、
前記光束径変更工程により前記測定光の光束径を大きくした場合、前記走査工程での走査速度を遅くする制御工程と、
を有することを特徴とする光断層画像撮像装置の制御方法。
【請求項１２】
前記測定光が前記被検査物に集光する位置を、前記被検査物の深さ方向に変更する集光位置変更工程を有し、
前記集光位置変更工程において、前記光束径に基づく焦点深度よりも短い距離、前記深さ方向に焦点位置を移動させることを特徴とする請求項１１に記載の光断層画像撮像装置の制御方法。
【請求項１３】
前記集光位置変更工程において前記集光する位置を変更させて前記被検査物における異なる深さ位置で、異なる複数の該被検査物の断層画像を取得し、これらをつなぎ合わせて断層画像を生成することを特徴とする請求項１２に記載の光断層画像撮像装置の制御方法。
【請求項１４】
前記集光する位置の変更に連動させて、前記参照光の光路に設けられた参照ミラーの位置を変更する工程を有することを特徴とする請求項１３に記載の光断層画像撮像装置の制御方法。
【請求項１５】
前記合波した光を分光する工程と、
前記光束径変更工程により変更された光束径に応じて、前記断層画像を取得する範囲を変更する範囲変更工程と、
前記範囲変更工程からの光を検出する工程と、
を有することを特徴とする請求項１１乃至１４のいずれか１項に記載の光断層画像撮像装置の制御方法。
【請求項１６】
前記測定光の光束径を大きくした場合、前記照射される範囲を狭くした光を検出する際の読み出し画素数を減らして前記被検査物を撮像することを特徴とする請求項１１乃至１５のいずれか１項に記載の光断層画像撮像装置の制御方法。
【請求項１７】
請求項１１乃至１６のいずれか１項に記載の光断層画像撮像装置の制御方法の各工程をコンピュータに実行させることを特徴とするプログラム。
【手続補正２】
【補正対象書類名】明細書
【補正対象項目名】０００８
【補正方法】変更
【補正の内容】
【０００８】
本発明は、つぎのように構成した光断層画像撮像装置及び光断層画像撮像装置の制御方法を提供するものである。
本発明の光断層画像撮像装置は、測定光を照射した被検査物からの戻り光と、該測定光に対応する参照光とを合波した光に基づいて前記被検査物の断層画像を取得する光断層画像撮像装置であって、
前記被検査物に対して前記測定光を走査する走査手段と、
前記測定光の光束径を変更する光束径変更手段と、
前記光束径変更手段により前記測定光の光束径を大きくした場合、前記走査手段の走査速度を遅くする制御手段と、
を有することを特徴とする。
また、本発明の光断層画像撮像装置の制御方法は、測定光を照射した被検査物からの戻り光と、該測定光に対応する参照光とを合波した光に基づいて前記被検査物の断層画像を取得する光断層画像撮像装置の制御方法であって、
前記被検査物に対して前記測定光を走査する走査工程と、
前記測定光の光束径を変更する光束径変更工程と、
前記光束径変更工程により前記測定光の光束径を大きくした場合、前記走査工程での走査速度を遅くする制御工程と、
を有することを特徴とする。
【手続補正書】
【提出日】平成25年8月22日(2013.8.22)
【手続補正１】
【補正対象書類名】特許請求の範囲
【補正対象項目名】全文
【補正方法】変更
【補正の内容】
【特許請求の範囲】
【請求項１】
所定の遊技を行うことが可能な遊技機であって、
計時手段としてのリアルタイムクロックと、
前記計時手段の計時に応じたデータにもとづいて、特定の日付または特定の時刻に達した場合に、遊技演出における表示態様を変更する表示態様変更手段と、
前記計時手段の計時に応じたデータにもとづいて、前記特定の日付または前記特定の時刻より所定期間前の予告演出実行時に、遊技演出における表示態様の変更を予告する表示態様予告演出を実行する予告演出実行手段と、
遊技機への電力供給が停止したときでも、前記リアルタイムクロックに電力を供給する電力供給手段とを備えた
ことを特徴とする遊技機。
【手続補正２】
【補正対象書類名】明細書
【補正対象項目名】０００８
【補正方法】変更
【補正の内容】
【０００８】
本発明は、特定の日付または特定の時刻に達した場合に遊技演出における表示態様を変更する場合に、あらかじめ遊技者に予告することができる遊技機を提供することを目的とする。
【手続補正３】
【補正対象書類名】明細書
【補正対象項目名】０００９
【補正方法】変更
【補正の内容】
【０００９】
本発明による遊技機は、所定の遊技を行うことが可能な遊技機であって、計時手段としてのリアルタイムクロックと、計時手段の計時に応じたデータにもとづいて、特定の日付または特定の時刻に達した場合に、遊技演出における表示態様を変更する表示態様変更手段と、計時手段の計時に応じたデータにもとづいて、特定の日付または特定の時刻より所定期間前の予告演出実行時に、遊技演出における表示態様の変更を予告する表示態様予告演出を実行する予告演出実行手段と、遊技機への電力供給が停止したときでも、リアルタイムクロックに電力を供給する電力供給手段とを備えたことを特徴とする。
【手続補正４】
【補正対象書類名】明細書
【補正対象項目名】００１０
【補正方法】変更
【補正の内容】
【００１０】
請求項１記載の発明によれば、特定の日付または特定の時刻に達した場合に遊技演出における表示態様を変更する場合に、あらかじめ遊技者に予告することができる。
【手続補正書】
【提出日】平成25年6月27日(2013.6.27)
【手続補正１】
【補正対象書類名】特許請求の範囲
【補正対象項目名】全文
【補正方法】変更
【補正の内容】
【特許請求の範囲】
【請求項１】
遊技機に１対１に対応して設けられたカードユニットであって、
取り込んだ遊技媒体を計数するための計数手段と、
該計数手段が計数した計数遊技媒体数を加算記憶する記憶手段と、
該記憶手段に記憶されている計数遊技媒体数を表示する表示手段と、
前記遊技機より出力される払出し準備完了信号が出力されていることを条件として、払出要求信号を出力し、該払出要求信号の出力に応じた払出完了信号が該遊技機より出力されたことを検出したときに、予め定められた所定数の遊技媒体の払出しが該遊技機において実行されたと判定し、前記払出要求信号の出力と払出完了信号の検出とを複数回行なうことにより、前記記憶手段に記憶されている計数遊技媒体数の範囲内の遊技媒体数の払い出しを前記遊技機に実行させる払出処理を行う払出処理手段と、
前記払出処理手段により払出された遊技媒体数を、前記記憶手段に記憶されている計数遊技媒体数から減算更新する減算更新手段と、
前記計数遊技媒体数が記録される計数記録媒体を受付けて、前記カードユニットを管理する管理装置において該計数記録媒体の計数記録媒体識別情報に計数遊技媒体数が対応付けられている場合に、該計数記録媒体に記録されている前記計数遊技媒体数を前記記憶手段に記憶させる記憶処理手段と、
遊技を終了するときに、前記計数記録媒体を受付けている場合に、前記記憶手段に記憶されている前記計数遊技媒体数を当該計数記録媒体に記録して排出し、該計数記録媒体を識別する計数記録媒体識別情報と該計数記録媒体に記録された計数遊技媒体数とを含む通知を前記管理装置に対して送信する排出処理を行うとともに、前記計数記録媒体を受付けていない場合に、前記記憶手段に記憶されている前記計数遊技媒体数が記録された計数記録媒体を新たに発行するとともに、該計数記録媒体を識別する計数記録媒体識別情報と該計数記録媒体に記録されている計数遊技媒体数とを含む通知を前記管理装置に対して送信する発行処理を行う発行処理手段と、
遊技場の店員が携行するリモコン端末において所定の操作が実行されることに応じて該リモコン端末から送信される消去要求を受信する消去要求受信手段と、
該消去要求受信手段にて前記消去要求を受信したことに基づいて、前記計数遊技媒体数が記録されている前記計数記録媒体を受付けている場合に、該計数記録媒体の計数遊技媒体数の記録を消去する消去処理を行う消去処理手段と、
前記消去処理手段により前記消去処理を行う際に、前記計数記録媒体の前記計数遊技媒体数について消去の旨と当該計数記録媒体を識別する計数記録媒体識別情報とを含む消去情報を該計数記録媒体に記録されていた計数遊技媒体数が使用できないように前記管理装置に送信する消去情報送信手段と、
を備えることを特徴とするカードユニット。
【手続補正２】
【補正対象書類名】明細書
【補正対象項目名】０００８
【補正方法】変更
【補正の内容】
【０００８】
前記課題を解決するために、本発明の請求項１に記載のカードユニットは、
遊技機（パチンコ機２）に１対１に対応して設けられたカードユニットであって、
取り込んだ遊技媒体（パチンコ玉）を計数するための計数手段（制御部３５０，制御ユニット３２８；計数情報処理、ＳＳ４）と、
該計数手段が計数した計数遊技媒体数（持玉数（計数済玉数））を加算記憶する記憶手段（ＲＡＭ３２８ｂ；カードテーブル）と、
該記憶手段に記憶されている計数遊技媒体数を表示する表示手段（表示部３１２）と、
前記遊技機より出力される払出し準備完了信号が出力されていることを条件として、払出要求信号を出力し、該払出要求信号の出力に応じた払出完了信号が該遊技機より出力されたことを検出したときに、予め定められた所定数の遊技媒体の払出しが該遊技機において実行されたと判定し、前記払出要求信号の出力と払出完了信号の検出とを複数回行なうことにより、前記記憶手段に記憶されている計数遊技媒体数の範囲内の遊技媒体数の払い出しを前記遊技機に実行させる払出処理を行う払出処理手段（制御ユニット３２８；払出処理、Ｓｈ５、Ｓｈ８、Ｓｈ１０）と、
前記払出処理手段により払出された遊技媒体数を、前記記憶手段に記憶されている計数遊技媒体数から減算更新する減算更新手段（制御ユニット３２８；払出処理、Ｓｈ５、Ｓｈ８、Ｓｈ１０）と、
前記計数遊技媒体数が記録される計数記録媒体を受付けて、前記カードユニットを管理する管理装置において該計数記録媒体の計数記録媒体識別情報に計数遊技媒体数が対応付けられている場合に、該計数記録媒体に記録されている前記計数遊技媒体数を前記記憶手段に記憶させる記憶処理手段と、
遊技を終了するときに、前記計数記録媒体を受付けている場合に、前記記憶手段に記憶されている前記計数遊技媒体数を当該計数記録媒体に記録して排出し、該計数記録媒体を識別する計数記録媒体識別情報と該計数記録媒体に記録された計数遊技媒体数とを含む通知を前記管理装置に対して送信する排出処理を行うとともに、前記計数記録媒体を受付けていない場合に、前記記憶手段に記憶されている前記計数遊技媒体数が記録された計数記録媒体を新たに発行するとともに、該計数記録媒体を識別する計数記録媒体識別情報と該計数記録媒体に記録されている計数遊技媒体数とを含む通知を前記管理装置に対して送信する発行処理を行う発行処理手段と、
遊技場の店員が携行するリモコン端末において所定の操作が実行されることに応じて該リモコン端末から送信される消去要求を受信する消去要求受信手段と、
該消去要求受信手段にて前記消去要求を受信したことに基づいて、前記計数遊技媒体数が記録されている前記計数記録媒体を受付けている場合に、該計数記録媒体の計数遊技媒体数の記録を消去する消去処理を行う消去処理手段と、
前記消去処理手段により前記消去処理を行う際に、前記計数記録媒体の前記計数遊技媒体数について消去の旨と当該計数記録媒体を識別する計数記録媒体識別情報とを含む消去情報を該計数記録媒体に記録されていた計数遊技媒体数が使用できないように前記管理装置に送信する消去情報送信手段と、
を備えることを特徴としている。
この特徴によれば、リモコン端末を操作するのみで、計数記録媒体に記録されている計数遊技媒体数が消去とされるようになるので、カードユニットから排出されたカードをカード処理機に持参して挿入する必要がなく、消去のための作業負荷や作業時間を低減することができる。
【手続補正書】
【提出日】平成25年6月27日(2013.6.27)
【手続補正１】
【補正対象書類名】特許請求の範囲
【補正対象項目名】全文
【補正方法】変更
【補正の内容】
【特許請求の範囲】
【請求項１】
遊技機に１対１に対応して設けられた遊技用装置であって、
取り込んだ遊技媒体を計数するための計数手段と、
該計数手段が計数した計数遊技媒体数を加算記憶する記憶手段と、
該記憶手段に記憶されている計数遊技媒体数を表示する表示手段と、
前記記憶手段に記憶されている計数遊技媒体数の範囲内の遊技媒体を払出すための払出処理を行う払出処理手段と、
前記払出処理手段により払出された遊技媒体数を、前記記憶手段に記憶されている計数遊技媒体数から減算更新する減算更新手段と、
前記計数遊技媒体数が記録される計数記録媒体を受付けて、前記遊技用装置を管理する管理装置において該計数記録媒体の計数記録媒体識別情報に計数遊技媒体数が対応付けられている場合に、該計数記録媒体に記録されている前記計数遊技媒体数を前記記憶手段に記憶させる記憶処理手段と、
遊技を終了するときに、前記計数記録媒体を受付けている場合に、前記記憶手段に記憶されている前記計数遊技媒体数を当該計数記録媒体に記録して排出し、該計数記録媒体を識別する計数記録媒体識別情報と該計数記録媒体に記録された計数遊技媒体数とを含む通知を前記管理装置に対して送信する排出処理を行うとともに、前記計数記録媒体を受付けていない場合に、前記記憶手段に記憶されている前記計数遊技媒体数が記録された計数記録媒体を新たに発行するとともに、該計数記録媒体を識別する計数記録媒体識別情報と該計数記録媒体に記録されている計数遊技媒体数とを含む通知を前記管理装置に対して送信する発行処理を行う発行処理手段と、
遊技場の店員が携行するリモコン端末において所定の操作が実行されることに応じて該リモコン端末から送信される消去要求を受信する消去要求受信手段と、
該消去要求受信手段にて前記消去要求を受信したことに基づいて、前記計数遊技媒体数が記録されている前記計数記録媒体を受付けている場合に、該計数記録媒体の計数遊技媒体数の記録を消去する消去処理を行う消去処理手段と、
前記消去処理手段により前記消去処理を行う際に、前記計数記録媒体の前記計数遊技媒体数について消去の旨と当該計数記録媒体を識別する計数記録媒体識別情報とを含む消去情報を該計数記録媒体に記録されていた計数遊技媒体数が使用できないように前記管理装置に送信する消去情報送信手段と、
を備えることを特徴とする遊技用装置。
【手続補正２】
【補正対象書類名】明細書
【補正対象項目名】０００７
【補正方法】変更
【補正の内容】
【０００７】
前記課題を解決するために、本発明の請求項１に記載の遊技用装置は、
遊技機（パチンコ機２）に１対１に対応して設けられた遊技用装置（カードユニット３）であって、
取り込んだ遊技媒体（パチンコ玉）を計数するための計数手段（制御部３５０，制御ユニット３２８；計数情報処理、ＳＳ４）と、
該計数手段が計数した計数遊技媒体数（持玉数（計数済玉数））を加算記憶する記憶手段（ＲＡＭ３２８ｂ；カードテーブル）と、
該記憶手段に記憶されている計数遊技媒体数を表示する表示手段（表示部３１２）と、
前記記憶手段に記憶されている計数遊技媒体数の範囲内の遊技媒体を払出すための払出処理を行う払出処理手段（制御ユニット３２８；払出処理、Ｓｈ５、Ｓｈ８、Ｓｈ１０）と、
前記払出処理手段により払出された遊技媒体数を、前記記憶手段に記憶されている計数遊技媒体数から減算更新する減算更新手段（制御ユニット３２８；払出処理、Ｓｈ５、Ｓｈ８、Ｓｈ１０）と、
前記計数遊技媒体数が記録される計数記録媒体を受付けて、前記遊技用装置を管理する管理装置において該計数記録媒体の計数記録媒体識別情報に計数遊技媒体数が対応付けられている場合に、該計数記録媒体に記録されている前記計数遊技媒体数を前記記憶手段に記憶させる記憶処理手段と、
遊技を終了するときに、前記計数記録媒体を受付けている場合に、前記記憶手段に記憶されている前記計数遊技媒体数を当該計数記録媒体に記録して排出し、該計数記録媒体を識別する計数記録媒体識別情報と該計数記録媒体に記録された計数遊技媒体数とを含む通知を前記管理装置に対して送信する排出処理を行うとともに、前記計数記録媒体を受付けていない場合に、前記記憶手段に記憶されている前記計数遊技媒体数が記録された計数記録媒体を新たに発行するとともに、該計数記録媒体を識別する計数記録媒体識別情報と該計数記録媒体に記録されている計数遊技媒体数とを含む通知を前記管理装置に対して送信する発行処理を行う発行処理手段と、
遊技場の店員が携行するリモコン端末において所定の操作が実行されることに応じて該リモコン端末から送信される消去要求を受信する消去要求受信手段と、
該消去要求受信手段にて前記消去要求を受信したことに基づいて、前記計数遊技媒体数が記録されている前記計数記録媒体を受付けている場合に、該計数記録媒体の計数遊技媒体数の記録を消去する消去処理を行う消去処理手段と、
前記消去処理手段により前記消去処理を行う際に、前記計数記録媒体の前記計数遊技媒体数について消去の旨と当該計数記録媒体を識別する計数記録媒体識別情報とを含む消去情報を該計数記録媒体に記録されていた計数遊技媒体数が使用できないように前記管理装置に送信する消去情報送信手段と、
を備えることを特徴としている。
この特徴によれば、リモコン端末を操作するのみで、計数記録媒体に記録されている計数遊技媒体数が消去とされるようになるので、遊技用装置から排出されたカードをカード処理機に持参して挿入する必要がなく、消去のための作業負荷や作業時間を低減することができる。
【手続補正書】
【提出日】平成24年10月30日(2012.10.30)
【手続補正１】
【補正対象書類名】特許請求の範囲
【補正対象項目名】全文
【補正方法】変更
【補正の内容】
【特許請求の範囲】
【請求項１】
遊技球が始動口へ受け入れられると、その後、大当り抽選を実行するとともに特別図柄の変動表示を開始し、変動時間が経過すると、前記大当り抽選の結果に応じた停止図柄を表示する遊技機において、
遊技媒体を用いた遊技動作を制御する遊技制御部と、
前記遊技制御部の制御によって前記遊技動作に伴う演出動作を制御する演出制御部と、
前記演出制御部の制御によって表示動作を実行する表示装置と
を備える遊技機において、
前記演出制御部は、
映像に必要な素材画像としての装飾図柄の表示に用いる素材画像データを不揮発的に記憶するとともに、表示すべき映像の構成に関する情報及び表示すべき映像を構成する各シーンの描画に必要な素材画像データを特定するための情報を含むスケジューラデータを不揮発的に記憶する不揮発性映像メモリと、
前記素材画像データを揮発的に記憶可能な揮発性映像メモリと、
前記表示装置に対して映像表示を行うための映像表示プロセッサと、
前記スケジューラデータに基づく映像を構成する各フレームに含めるべき複数の装飾図柄に各々対応する複数のコマンドを含むコマンドリストを生成して前記映像表示プロセッサに転送する表示制御プロセッサと、
を含み、
前記映像表示プロセッサは、
前記表示制御プロセッサから転送されてきたコマンドリストに含まれる複数のコマンドを順次実行することにより、表示すべき前記映像に応じた素材画像データを前記不揮発性映像メモリから読み出して前記揮発性映像メモリに展開するとともに前記揮発性映像メモリに展開された素材画像データを用いて構成した映像を前記表示装置に表示させ、
前記表示プロセッサは、
各フレームに対するコマンドリストを生成する際に、複数の素材画像に共通するコマンドを共通コマンドとして前記コマンドリストに設定し、前記共通コマンド以外のコマンドを装飾図柄毎に生成して前記コマンドリストに設定する一方、同種の装飾図柄が揃う表示態様になるかもしれないことを暗示する期待演出を実行する際に、前記同種の装飾図柄に対するコマンドを生成しようとする場合、生成しようとするコマンドが既に生成した他の装飾図柄に対するコマンドと同じ内容であるとき、当該コマンドの生成を省略する
ことを特徴とする遊技機。
【手続補正２】
【補正対象書類名】明細書
【補正対象項目名】０００９
【補正方法】変更
【補正の内容】
【０００９】
本発明の遊技機は、遊技球が始動口へ受け入れられると、その後、大当り抽選を実行するとともに特別図柄の変動表示を開始し、変動時間が経過すると、前記大当り抽選の結果に応じた停止図柄を表示する遊技機において、
遊技媒体を用いた遊技動作を制御する遊技制御部と、
前記遊技制御部の制御によって前記遊技動作に伴う演出動作を制御する演出制御部と、
前記演出制御部の制御によって表示動作を実行する表示装置と
を備える遊技機において、
前記演出制御部は、
映像に必要な素材画像としての装飾図柄の表示に用いる素材画像データを不揮発的に記憶するとともに、表示すべき映像の構成に関する情報及び表示すべき映像を構成する各シーンの描画に必要な素材画像データを特定するための情報を含むスケジューラデータを不揮発的に記憶する不揮発性映像メモリと、
前記素材画像データを揮発的に記憶可能な揮発性映像メモリと、
前記表示装置に対して映像表示を行うための映像表示プロセッサと、
前記スケジューラデータに基づく映像を構成する各フレームに含めるべき複数の装飾図柄に各々対応する複数のコマンドを含むコマンドリストを生成して前記映像表示プロセッサに転送する表示制御プロセッサと、
を含み、
前記映像表示プロセッサは、
前記表示制御プロセッサから転送されてきたコマンドリストに含まれる複数のコマンドを順次実行することにより、表示すべき前記映像に応じた素材画像データを前記不揮発性映像メモリから読み出して前記揮発性映像メモリに展開するとともに前記揮発性映像メモリに展開された素材画像データを用いて構成した映像を前記表示装置に表示させ、
前記表示プロセッサは、
各フレームに対するコマンドリストを生成する際に、複数の素材画像に共通するコマンドを共通コマンドとして前記コマンドリストに設定し、前記共通コマンド以外のコマンドを装飾図柄毎に生成して前記コマンドリストに設定する一方、同種の装飾図柄が揃う表示態様になるかもしれないことを暗示する期待演出を実行する際に、装飾図柄に対するコマンドを生成しようとする場合、生成しようとするコマンドが既に生成した他の装飾図柄に対するコマンドと同じ内容であるとき、当該コマンドの生成を省略することを特徴とする。
【手続補正書】
【提出日】平成25年10月10日(2013.10.10)
【手続補正１】
【補正対象書類名】特許請求の範囲
【補正対象項目名】請求項１
【補正方法】変更
【補正の内容】
【請求項１】
ケア対象者またはケア対象物に対する複数の評価項目の評価内容と、当該ケア対象者またはケア対象物の症例情報、対応情報または効果情報とを一つのデータセットとして相互に関連づけて記憶するデータベースと、
ケア対象者またはケア対象物に対する評価項目を前記データベースより導出する第１の処理部と、
既に評価された評価項目、入力または受信された当該評価に対する評価内容に応じて、前記データベースを参照して、次の評価項目を導出する第２の処理部と、
入力または受信された評価内容に基づき、前記ケア対象者またはケア対象物の症例情報、対応情報または効果情報を前記データベースより導出する第３の処理部と、
既に評価された評価項目、入力または受信された当該評価に対する評価内容、および、評価内容の回答順序と、実際に入力された症例情報、対応情報または効果情報を更新する更新手段とを含む、情報処理装置。